(57)【要約】【課題】自動検針を無線で行う自動検針無線機に対して、無線通信不良が発生した場合、通信不良となる電波強度の変動状況を容易に判別する対処方法を提供することを目的とする。【解決手段】電波の有無を検出する電波検出部１０と、電波からデータ信号を復調する信号復調部１１と、信号復調部１１からのデータ信号により通信内容を解析する電文解析部１２と、通信中の電波強度の変動を測定する電波強度測定部１３と、電文解析部１２および電波強度測定部１３から受信した内容を記憶する記憶部１４と、記憶部１４に記憶された内容を表示部１５に表示させる制御部１６からなり、制御部１４は電文解析部１２からの通信内容および電波強度測定部１３からの測定結果を受信したとき、表示部１５に対し受信内容および電波強度変動の表示を行うようにして、無線通信不良の原因解析を容易とした。【選択図】図１
2007066140.tif 000002
【特許請求の範囲】
【請求項１】
回線を介して隔測検針装置と接続される無線親機とメータに接続される無線子機との間で無線による通信を行い、前記メータと隔測検針装置との間を通信可能として前記メータの検針を行う自動検針システムの自動検針無線機に対して無線の通信状態を計測する自動検針無線計測装置において、電波の有無を検出する電波検出部と、電波からデータ信号を復調する信号復調部と、前記信号復調部からのデータ信号により通信内容を解析する電文解析部と、無線通信中の電波強度の変動を測定する電波強度変動測定部と、前記電文解析部および電波強度変動測定部から受信した内容を記憶する記憶部と、前記記憶部に記憶された内容を表示部に表示させる制御部とを具備し、前記制御部は電文解析部からの通信内容、および前記電波強度変動測定部からの測定結果を受信したとき、前記表示部に対し受信内容および電波強度変動の表示を行うようにした自動検針無線計測装置。
【請求項２】
請求項１記載の自動検針無線計測装置の手段の全てまたは一部としてマイコンなどのコンピュータを機能させるためのプログラム。
【発明の詳細な説明】
【技術分野】
【０００１】
本発明はガス、水道、電気等の使用量の検針を行う自動検針無線機の通信状態を計測する自動検針無線計測装置に関するものである。
【背景技術】
【０００２】
従来、家庭やオフィス、あるいは、工場などのガス、水道、電気等の使用量を測定するために、メータに記録されたデータを電話等の通信回線を介して隔測検針装置であるセンターで回収する、いわゆる、自動検針システムが普及しつつある。
【０００３】
この自動検針システムは、例えば、各需要家に設置されている電話用の回線とメータとを通信線で接続し、電話回線を介してセンターとメータとで通信を行うものである。
【０００４】
ところで、このような自動検針システムの場合、電話用の回線とメータとを通信線で接続する必要があるため、需要家の屋内外に通信線を引き回し配線する手間と費用が必要であった。
【０００５】
特に、電話用の回線とメータとが離れている場合にはこの配線作業はかなりの負担であり、既設の家屋の場合には配線が無理な場合さえあった。
【０００６】
そこで、各需要家の電話用の回線に端末網制御装置（以下「Ｔ−ＮＣＵ」という）を介して無線親機を接続するとともにメータに無線子機を接続し、無線親機と無線子機との間で無線で通信を行うようにすることによって屋内外の配線を不要とする自動無線検針システムが提案されている（例えば、特許文献１参照）。
【０００７】
図２は、前記特許文献１に記載された従来の自動無線検針システムを示すもので、１はセンター、２は公衆電話回線、３は需要家、４は端末網制御装置、すなわちＴ−ＮＣＵ、５は無線親機にして、送受信回路を有し、センター１とＴ−ＮＣＵ４までは公衆電話回線で結ばれ、Ｔ−ＮＣＵ４と無線親機５間は通信線ａで結ばれている。
【０００８】
６は無線子機にして、送受信回路を有し、通信線ｂで自動検針用メータ７に接続されている。無線親機５と無線子機６は無線で相互に通信が可能で、自動検針用メータ７内の情報はこの無線子機６から無線親機５に送信される。
【０００９】
センター１からは、公衆電話回線２にて需要家３に設置されたＴ−ＮＣＵ４を介して無線親機５を駆動し、この無線親機５から無線子機６に対して電波信号が送られる。
【００１０】
無線子機６は無線親機５からの信号を受けると、自動検針用メータ７内にストックされた計量情報等をとり出し、この情報を無線で無線親機５に送信する。無線親機５は、無線子機６から受けた情報をＴ−ＮＣＵ４及び公衆電話回線２を経由してセンター１に送る。
【００１１】
この結果、従来のように、建物内において、自動検針用メータの配線を行う必要がなく、工事が簡単になると共に、建物の美観を損ねたりしない。又、特に既設の集合住宅或いはテナントビル等において、後から自動検針システムを適用する際に、各メータ毎に配線工事等を行う必要がなくなるため、自動検針システムの実現が容易になる。
【特許文献１】特開平６−８５９３８号公報（第１〜４頁、第１図）
【発明の開示】
【発明が解決しようとする課題】
【００１２】
ところでこうしたシステムでは、無線親機と無線子機の登録作業は、無線子機とメータの接続後、所定の操作、たとえば無線子機と無線親機の起動用スイッチ等を同時に入力することによって無線子機がメータからメータ管理ＩＤを取得し、この取得したメータ管理ＩＤを無線送信により無線親機に送信し、無線親機は無線子機からメータ管理ＩＤを取得すると、次に親機の持っている無線通信に必要な通信情報を無線子機に送信する。これにより、無線親機と無線子機の登録作業が完了し、以降隔測検針装置であるセンタからメータまでの通信が可能となる。
【００１３】
しかしながら、前記従来の構成で、これらの登録作業後、隔測検針装置であるセンタからの通信が可能となるわけであるが、無線通信においては、メータにとりつけられた無線子機の設置条件とりわけ周辺の電波遮蔽物や電波送信部に直接影響して無線信号の品質を低下させ、通信不良が発生することがしばしばある。
【００１４】
特に、集合住宅においては周りの建物や、各部屋のレイアウト等によって電波強度が大きく影響される場合があり、無線通信における通信不良の原因を検出することは作業現場においては非常に困難であり、正常通信できるまでかなりの時間がかかってしまうという課題を有していた。
【００１５】
本発明は上記の点に鑑みてなされたもので、自動検針無線機の無線通信時における通信不良となる原因を容易に識別することができ、自動検針システムのメンテナンス性を高めた自動検針無線機の計測装置を提供することを目的とする。
【課題を解決するための手段】
【００１６】
上記の課題を達成するために、回線を介して隔測検針装置と接続される無線親機とメータに接続される無線子機との間で無線による通信を行い、メータと隔測検針装置との間を通信可能としてメータの検針を行う自動検針システムの自動検針無線機に対して、無線の通信状態を計測する自動検針無線計測装置において、自動検針無線計測装置は、電波の有無を検出する電波検出部と、電波からデータ信号を復調する信号復調部と、信号復調部からのデータ信号により通信内容を解析する電文解析部と、無線通信中の電波強度の変動を測定する電波強度変動測定部と、電文解析部および電波強度変動測定部から受信した内容を記憶する記憶部と、記憶部に記憶された内容を表示部に表示させる制御部からなり、制御部は電文解析部からの通信内容および電波強度変動測定部からの測定結果を受信したとき、表示部に対し受信内容および電波強度変動の表示を行うように制御することを備えて構成される。
【発明の効果】
【００１７】
以上説明したように、本発明によれば、無線親機および無線子機間における無線通信において、電波があれば通信内容を解析して記憶部に記憶するとともに、電波強度の変動状態すなわち無線通信の安定／不安定もあわせて記憶部に記憶し、表示部に対しそれぞれ受信内容および電波強度変動の表示も行うよう制御する。したがって、電波強度が大きく変動して通信不良が通信不良が発生している場合には、それぞれの通信における通信内容と電波強度の変動状態により、不具合の原因が明確になる。
【００１８】
上記発明により、自動検針無線機の無線通信時における通信不良となる原因を容易に識別することができ、自動検針システムの信頼性を高めることができる。
【発明を実施するための最良の形態】
【００１９】
本発明は、回線を介して隔測検針装置と接続される無線親機とメータに接続される無線子機との間で無線による通信を行い、メータと隔測検針装置との間を通信可能としてメー
タの検針を行う自動検針システムの自動検針無線機に対して、無線の通信状態を計測する自動検針無線計測装置において、自動検針無線計測装置は、電波の有無を検出する電波検出部と、電波からデータ信号を復調する信号復調部と、信号復調部からのデータ信号により通信内容を解析する電文解析部と、無線通信中の電波強度の変動を測定する電波強度変動測定部と、電文解析部および電波強度変動測定部から受信した内容を記憶する記憶部と、記憶部に記憶された内容を表示部に表示させる制御部からなり、制御部は電文解析部からの通信内容および電波強度変動測定部からの測定結果を受信したとき、表示部に対し受信内容および電波強度変動の表示を行うように制御することができるようにしたもので、それぞれの通信における通信内容と電波強度の変動状態がわかり、通信不良となる原因を容易に識別することができるものである。
【００２０】
以下、本発明の実施の形態について、図面を参照しながら説明する。なお、この実施の形態によって本発明が限定されるものではない。
【００２１】
（実施の形態１）
以下実施の形態１を図１を参照して説明する。なお、背景技術で紹介した構成と同一部分には同一符号を付し、詳細な説明はその背景技術のものを援用する。
【００２２】
隔測検針装置１は、回線２からＴ−ＮＣＵ４を介して無線親機５と接続される。無線子機６は無線親機５に対向して設けられ需要家３のメータ７に接続される。
【００２３】
８は自動検針無線計測装置で、９はアンテナ、１０は電波の有無を検出する電波検出部、１１は電波からデータ信号を復調する信号復調部、１２は電波から通信内容を解析する電文解析部、１３は無線通信中のおける電波検出部からの電波強度の変動を測定する電波強度変動測定部、１４は電文解析部１２および電波強度変動測定部１３から受信した内容を記憶する記憶部、１６は記憶部１４に記憶された内容を表示部１５に表示させる制御部であり、制御部１６は電文解析部１２からの通信内容および電波強度変動測定部１３からの測定結果を受信したとき、通信内容および測定結果を記憶部１４に記憶するとともに、表示部１５に対し受信内容および電波強度変動結果の表示を行うように制御するものである。
【００２４】
センターからの自動検針の場合、隔測検針装置１から回線２およびＴ−ＮＣＵ４を介して無線親機５に対して、メータ７への検針要求を送信すると、無線親機５から無線子機６に対してメータ７の検針要求を無線送信し、無線子機６が需要家３のメータ７に対して検針要求を送信する。
【００２５】
無線子機６はメータ７からの検針応答を受信すると、無線親機５に対して検針応答を無線送信する。こうして、メータ７の検針値をセンター１で集中検針できる。
【００２６】
無線通信の解析および表示は、無線親機５〜無線子機６間における相互の無線通信を監視し、電波検出部１０でアンテナ９からの電波を検出すると、信号復調部１１で電波からデータ信号を復調し、電文解析部１２は信号復調部１１からのデータ信号から通信内容を解析し、通信内容を制御部１６に送信する。
【００２７】
また、電波強度変動測定部１３は無線通信中電波検出部１０からの電波検出部からの電波強度の変動を測定して制御部１６に送信する。このとき制御部１６は記憶部１４に通信内容をおよび電波強度の測定結果を記憶部１４に記憶させる。通信中に電波強度が大きく変動すると、通信データが欠落したり、データが化けたりすることがある。
【００２８】
制御部１６は記憶部１４に記憶した通信内容および電波強度の変動状態を順次表示部１
５に表示させることにより無線通信状態がわかるようになる。
【００２９】
また、通信内容の表示のより、通信データそのもののミスも容易に発見することができる。
【産業上の利用可能性】
【００３０】
以上のように、本発明にかかる自動検針無線計測装置は、無線親機および無線子機間における無線通信において、それぞれの無線送信、無線受信の通信内容および無線通信中の電波強度の変動状態を監視することにより、無線通信中における電波の安定度を知ることができ、表示部に対しそれぞれ受信順に受信内容の表示も行うよう制御するので安心して自動無線検針を行うことができる。また、第１の周波数帯域と第２の周波数帯域を選択できるようにして、システム毎に異なるチャンネルでも受信できるようにすることもできる。
【００３１】
さらに、データ通信も同時に観測することができるので、通信不良が発生したときなどの解析にも有効である。
【００３２】
また、本発明はどの無線通信システムにも応用が可能となるので、自動無線検針以外の用途にも適用できる。
【図面の簡単な説明】
【００３３】
【図１】本発明の実施の形態１における自動検針無線計測装置のブロック図
【図２】従来の自動検針システムのブロック図
【符号の説明】
【００３４】
１  隔測検針装置（センター）
２  回線（公衆電話回線）
５  無線親機
６  無線子機
７  メータ
８  自動検針無線計測装置
１０  電波検出部
１１  信号復調部
１２  電文解析部
１３  電波強度変動測定部
１４  記憶部
１５  表示部
１６  制御部
【図１】
2007066140.tif 000003
【図２】
2007066140.tif 000004